(57)【要約】【課題】  アンバランス−バランス変換回路において、バランス変換された正相のオーディオ信号と逆相のオーディオ信号の相互の品質差をなくし、音質の劣化を防止する。【解決手段】  アンバランス−バランス変換回路において、オーディオ信号の音量を調節する音量調節回路と、前記音量調節回路によって音量調節されたオーディオ信号を増幅する増幅回路と、前記増幅回路が増幅したオーディオ信号の位相を反転して前記増幅回路に帰還する位相反転回路とを備え、前記増幅回路の出力をオーディオ信号の正相成分として出力し、前記位相反転回路の出力をオーディオ信号の逆相成分として出力する。【選択図】      図１
2009081641.tif 000002
【特許請求の範囲】
【請求項１】
オーディオ信号の音量を調節する音量調節回路と、
前記音量調節回路によって音量調節されたオーディオ信号を増幅する増幅回路と、
前記増幅回路が増幅したオーディオ信号の位相を反転して前記増幅回路に帰還する位相反転回路とを備え、
前記増幅回路の出力をオーディオ信号の正相成分として出力し、
前記位相反転回路の出力をオーディオ信号の逆相成分として出力する
ことを特徴とするアンバランス−バランス変換回路。
【発明の詳細な説明】
【技術分野】
【０００１】
本発明は、オーディオアンプ等に使用されるアンバランス−バランス変換回路に関するものである。
【背景技術】
【０００２】
ＣＤプレーヤ等のオーディオ再生装置から伝送されてくるアンバランス信号をオーディオアンプの内部でバランス信号として取り扱うためには、オーディオアンプの内部に、アンバランス信号をバランス信号に変換するアンバランス−バランス変換回路を必要とする。
従来のアンバランス−バランス変換回路としては、定電流源と差動増幅回路を組み合わせた回路や（特許文献１参照）、位相反転回路を利用した回路がある（特許文献２参照）。
【０００３】
【特許文献１】特開平１０−２０９８１３号公報
【特許文献２】特開２００５−２１８００３号公報
【発明の開示】
【発明が解決しようとする課題】
【０００４】
従来のアンバランス−バランス変換回路は、アンバランス−バランス変換のみを目的としていたため、オーディオプリアンプに必要な音量調節を行うために、次段増幅器として、別途、音量調節回路を設ける必要があった。
図３は、音量調節回路の構成の一例を示す回路図である。高利得増幅器１７の帰還回路に、可変抵抗Ｒ１７、Ｒ１８を備えた音量調節ＩＣ(Integrated Circuit)１６を用いることによって、音量調節機能を実現している。この音量調節回路は、反転増幅回路であるから、出力端子OUTから出力されるオーディオ信号は、入力端子INから入力されるオーディオ信号に対して逆相となる。
【０００５】
図２は、従来のアンバランス−バランス変換回路の構成の一例を示す回路図であり、位相反転回路と音量調節回路を組み合わせ、アンバランス−バランス変換と音量調節を行えるようにしたものである。位相反転回路１１は、高利得増幅器１１ａと、その帰還回路の抵抗Ｒ１１、Ｒ１２を備え、電圧増幅率が−１の反転増幅回路である。
入力端子INから入力されたオーディオ信号を２系統に分岐させ、一方を、高利得増幅器１３、及び可変抵抗Ｒ１３、Ｒ１４を備えた音量調節ＩＣ１２を備えて構成される音量調節回路に通すことによって音量調節された逆相のオーディオ信号が出力端子COLDに出力され、他方を、位相反転回路１１、並びに高利得増幅器１５、及び可変抵抗Ｒ１５、Ｒ１６を備えた音量調節ＩＣ１４によって構成される音量調節回路に通すことによって音量調節された正相のオーディオ信号が出力端子HOTに出力される。
【０００６】
図２の回路では、正相のオーディオ信号を出力する回路と逆相のオーディオ信号を出力する回路とで、位相反転回路１１の有無、音量調節回路が別々という相違があるため、出力される正相信号と逆相信号の、周波数特性、位相特性、歪率等の品質が揃わず、再生音の音質が悪化するという問題点があった。
また、図２の回路は、音量調節ＩＣを、正相のオーディオ信号を出力する回路と逆相のオーディオ信号を出力する回路にそれぞれ設ける構成であるが、高精度の音量調節ＩＣは高価であるため、その分のコストを必要としていた。
【０００７】
本発明の目的は、アンバランス−バランス変換回路において、バランス変換された正相のオーディオ信号と逆相のオーディオ信号の相互の品質差をなくし、音質の劣化を防止することができる回路を提供することにある。
【課題を解決するための手段】
【０００８】
本発明に係るアンバランス−バランス変換回路は、オーディオ信号の音量を調節する音量調節回路と、前記音量調節回路によって音量調節されたオーディオ信号を増幅する増幅回路と、前記増幅回路が増幅したオーディオ信号の位相を反転して前記増幅回路に帰還する位相反転回路とを備え、前記増幅回路の出力をオーディオ信号の正相成分として出力し、前記位相反転回路の出力をオーディオ信号の逆相成分として出力するものである。
【発明の効果】
【０００９】
本発明のアンバランス−バランス変換回路によれば、同一の帰還回路内からバランス変換された正相のオーディオ信号と逆相のオーディオ信号とを取り出すため、相互の信号品質の差をなくし、音質の劣化を防止することができる。
【発明を実施するための最良の形態】
【００１０】
図１は、本発明のアンバランス−バランス変換回路の一実施例の構成を示すブロック図である。入力端子ＩＮから入力された入力信号は、音量を調節するための音量調節ＩＣ１を通って次段へ出力される。音量調節ＩＣ１は、可変抵抗Ｒ１、Ｒ２を備え、図示しないマイクロコンピュータによって制御される。
【００１１】
高利得増幅器２は、可変抵抗Ｒ１を介して、その非反転入力端子に入力されたオーディオ信号を増幅する。高利得増幅器２が出力するオーディオ信号は２系統に分岐され、一方はバランス変換されたオーディオ信号の正相成分として出力端子HOTに出力され、他方は、帰還回路の、後述する位相反転回路３に入力される。なお、高利得増幅器２には、本実施例のように演算増幅器を使用することもできるし、ディスクリートの部品を用いて構成される差動増幅回路を使用しても良い。
【００１２】
位相反転回路３は、高利得増幅器３aを備え、高利得増幅器２から出力されたオーディオ信号の位相を反転させる。高利得増幅器３aの帰還回路として用いる２個の定抵抗Ｒ３、Ｒ４の抵抗値を同じ値にすれば、この回路の電圧増幅率は−１倍となり、位相の反転のみを行う。
位相反転回路３の出力は２系統に分岐され、一方は、バランス変換されたオーディオ信号の逆相成分として出力端子COLDに出力され、他方は、音量調節ＩＣ１の可変抵抗Ｒ２を介して、高利得増幅器２の非反転入力端子へと帰還される。この帰還信号は、位相反転回路３によって位相が反転されているため、帰還先の入力端子が非反転入力端子ではあるが、負帰還とみなすことができる。
【００１３】
このようにして、本実施形態のアンバランス−バランス変換回路によれば、一つの帰還回路内からバランス変換された正相のオーディオ信号と逆相のオーディオ信号とを同時に取り出すことができ、かつ音量調節機能も持たせることができる。従って、相互の信号品質の差をなくし、音質の劣化を防止することができる。
【００１４】
実測では、図２に示した従来の回路に対して、図１に示した本実施形態の回路では、出力信号のＳ／Ｎが１ｄＢ向上した。出力信号のＳ／Ｎの向上に伴い、聴感上のＳ／Ｎ感が向上し、即ちノイズ感が低減した。特に、小さな音を再生したときの静けさや音の広がり感が向上し、再生される音場の表現性能が高められた。
【００１５】
また、本実施形態のアンバランス−バランス変換回路によれば、音量調節回路を２系統から１系統にすることによって、正相成分と逆相成分の音量差がなくなり、コストを低減することができる。
なお、以上に述べた実施形態は、本発明の実施形態の一例であり、本発明は、これに限定されずに実施することができる。
【図面の簡単な説明】
【００１６】
【図１】本発明のアンバランス−バランス変換回路の一実施例の構成を示すブロック図である。
【図２】従来のアンバランス−バランス変換回路の構成の一例を示す図である。
【図３】音量調節回路の構成の一例を示す図である。
【符号の説明】
【００１７】
１，１２，１４，１６：音量調節ＩＣ
２，１３，１５，１７：高利得増幅器
３，１１：位相反転回路
【図１】
2009081641.tif 000003
【図２】
2009081641.tif 000004
【図３】
2009081641.tif 000005